(57)【要約】【課題】バッタースボックスの角度や位置を簡単且つ正確に出せるようにする。【解決手段】内角側ライン用のガイド枠３２、３３上に、バッタースボックス２０の角度を調整するためのマスト５０、５１を配設する。【選択図】      図３
2005006901.tif 000002
【特許請求の範囲】
【請求項１】
グラウンドにバッタースボックスを描く際に用いられるガイド枠を有するバッタースボックスゲージであって、
前記ガイド枠に、バッタースボックスの角度を調整するためのマストが配設されていることを特徴とするバッタースボックスゲージ。
【請求項２】
前記マストが、左右の内角側ライン用のガイド枠上に配設されていることを特徴とする請求項１に記載のバッタースボックスゲージ。
【請求項３】
前記マストが、センターライン上のガイド枠の前後２箇所に配設されていることを特徴とする請求項２に記載のバッタースボックスゲージ。
【請求項４】
前記マストが、ガイド枠に沿って折畳み可能とされていることを特徴とする請求項１乃至３のいずれかに記載のバッタースボックスゲージ。
【請求項５】
ファウルラインに合せるためのガイド枠を設けたことを特徴とする請求項１乃至４のいずれかに記載のバッタースボックスゲージ。
【発明の詳細な説明】
【０００１】
【発明の属する技術分野】
本発明は、学校野球や草野球等で試合や練習を行なう前にグラウンドに石灰等でバッタースボックスを描くためのバッタースボックスゲージに係り、特に、バッタースボックスの角度や位置を簡単且つ正確に調整することが可能なバッタースボックスゲージに関する。
【０００２】
【従来の技術】
学校野球や草野球等においては、試合や練習を行なう前に、図１に示す如く、例えば予め埋め込み等によりグラウンドに固定されたホームベース１０や１塁ベース１２、３塁ベース１４等を基準として、石灰等でバッタースボックスライン２０、キャッチャースボックス２２、ファウルライン２４等を描く必要がある。図おいて、８はピッチャー、１６はピッチャースマウンド、１８はピッチャースプレートである。
【０００３】
【発明が解決しようとする課題】
しかしながら従来は、メジャーを使って各ラインを一々マーキングしており、特にバッタースボックス２０を正確に描くことは容易でなかった。なお、バッタースボックス２０の形状に合せて作ったガイド枠を有するゲージを用いることも考えられるが、バッタースボックス２０のピッチャースマウンド１６に対する角度を簡単且つ正確に調整する方法は無かった。
【０００４】
本発明は、前記従来の問題点を解決するべくなされたもので、バッタースボックスのピッチャースマウンドに対する角度や位置を簡単に且つ正確に調整できるようにすることを課題とする。
【０００５】
【課題を解決するための手段】
本発明は、グラウンドにバッタースボックスを描く際に用いられるガイド枠を有するバッタースボックスゲージであって、前記ガイド枠に、バッタースボックスの角度を調整するためのマストを配設することにより、前記課題を解決したものである。
【０００６】
又、前記マストを、左右の内角側ライン用のガイド枠上、又は、センターライン上のガイド枠の前後２箇所に配設したものである。
【０００７】
又、前記マストを、ガイド枠に沿って折畳み可能としたり、あるいは、取外し可能として、持ち運びや格納を容易としたものである。
【０００８】
又、ファウルラインに合せるためのガイド枠を設けて、位置調整を容易とし、必要に応じてファウルラインを描けるようにしたものである。
【０００９】
又、前記ガイド枠を折畳み可能として、持ち運びや格納を容易としたものである。
【００１０】
【発明の実施の形態】
以下図面を参照して、本発明の実施形態を詳細に説明する。
【００１１】
本実施形態は、図２に示す如く、グラウンドにバッタースボックスを描く際に用いられるガイド枠を有するバッタースボックスゲージ（以下、単にゲージと称する）３０であって、内角側ライン用のガイド枠３２、３３と、ピッチャー側ライン用のガイド枠３４の交点に、図３に示す如く、例えば内角側ライン用ガイド枠３２、３３に沿って折畳み可能な左右一対のマスト５０、５１を配設したものである。図において、３６は、キャッチャー側ライン用のガイド枠、３８は、外角側ライン用のガイド枠、３９は、ファウルライン２４との位置合せやライン引き用のガイド枠、４０は補強金具である。
【００１２】
前記ゲージ３０の中央部には、ホームベース１０に対する位置合わせを容易とするためのホームベース前端位置ガイド枠４２とホームベース後端位置ガイド枠４４が設けられ、更に、これらホームベース前端位置ガイド枠４２とホームベース後端位置ガイド枠４４を結ぶ、左右一対のホームベース側端位置ガイド枠４６が設けられている。
【００１３】
前記ピッチャー側ガイド枠３４、キャッチャー側ガイド枠３６、ホームベース前端位置ガイド枠４２、ホームベース後端位置ガイド枠４４には、図の左右方向中央部にヒンジ４８が設けられ、図４に示す如く折畳み可能とされている。
【００１４】
更に、前記キャッチャー側ライン用ガイド枠３６には、キャッチャースボックス２２用のマーカー３７も設けられている。
【００１５】
以下、作用を説明する。
【００１６】
バッタースボックス２０をグラウンドに描く際には、図５（Ａ）に示す如く、ホームベース１０を基準としてゲージ３０を配置する。
【００１７】
そして、図３に示した如くマスト５０、５１を起こし、図５（Ｂ）に示すように、ピッチャースプレート１８のピッチャー８の位置から、ゲージ３０の内角側ライン用ガイド枠３２、３３とマスト５０、５１の位置関係を見る。このとき、図６（Ａ）（ピッチャーから見て右に傾いている状態）、（Ｂ）（同じく左に傾いている状態）のように、内角側ライン用ガイド枠３２、３３に対してマスト５０、５１が傾いていれば、バッタースボックス２０も傾くので、ゲージ３０の角度を調整し、図６（Ｃ）に示す如く、２本のマスト５０、５１の傾きが、ゲージ３０に対して左右均等になるようにする。そして、この状態で図３に示したようにバッタースボックス２０やキャッチャースボックス２２のライン（例えば白線）を描けば、これらを正しい角度で描くことができる。
【００１８】
本実施形態においては、キャッチャースボックス２２用のマーカー３７をキャッチャー側ライン用ガイド枠３６に付しているので、キャッチャースボックス２２のラインも、簡単且つ正確に描ける。なお、マーカー３７は省略しても良い。
【００１９】
又、本実施形態においては、ファウルライン用ガイド枠３９を設けているので、ファウルライン２４との位置合せが容易である。又、必要に応じて、ガイド枠３９を利用して、その延長線上にファウルライン２４を描くこともできる。なお、ガイド枠３９を省略して、ピッチャー側ライン用ガイド枠３４側にも、キャッチャー側ライン用ガイド枠３６側と同様の補強金具４０を設けることもできる。
【００２０】
又、本実施形態においては、マスト５０、５１及びゲージ３０自体を折畳み可能としているので、持ち運びが容易であり、格納時に邪魔になることもない。なお、マストを折畳み式でなく、例えばねじ等による着脱式や伸縮式としたり、あるいは、運搬や格納を考えなくてよい場合には、固定式としてもよい。
【００２１】
又、ゲージ３０についても、ヒンジ４８を増やして３つ折以上としたり、逆に省略し、折畳みできないようにして、コストダウンしても良い。
【００２２】
更に、図７に示す如く、マスト５０、５１の先端形状を尖らせて、より正確な調整を可能としてもよい。又、マストとガイド枠で色を変えて、マストが目立つようにしても良い。
【００２３】
又、マスト５０、５１の配設位置は、ピッチャー側ライン用ガイド枠３４と内角側ライン用ガイド枠３２、３３の交点に限定されず、内角側ライン用ガイド枠３２、３３上の他の位置や、外角側ライン用ガイド枠３８上の位置としても良い。
【００２４】
又、センターライン上の前後２箇所の位置（図２ではヒンジ４８のどれか２つの位置）にマストを立てて、ピッチャー８の位置から見た時に、２本のマストが合致するようにゲージ３０の位置を調整することもできる。
【００２５】
ゲージ３０の材質としては、鉄が安価であるが、アルミニウムやプラスチック等を用いて軽量化しても構わない。
【００２６】
【発明の効果】
本発明によれば、バッタースボックスの角度や位置を簡単且つ正確に調整することができる。
【図面の簡単な説明】
【図１】バッタースボックスの配置を示す平面図
【図２】本発明の実施形態の構成を示す平面図
【図３】前記実施形態の使用状態を示す斜視図
【図４】同じく収納途中の様子を示す斜視図
【図５】前記実施形態をホームベース上に配置した状態を示す平面図及び側面図
【図６】同じくピッチャースマウンドから見た状態を示す正面図
【図７】変形例のマストの形状例を示す正面図
【符号の説明】
１０…ホームベース
２０…バッタースボックス（ライン）
２２…キャッチャースボックス（ライン）
２４…ファウルライン
３０…バッタースボックスゲージ
３２、３３…内角側ライン用ガイド枠
３４…ピッチャー側ライン用ガイド枠
３９…ファウルライン用ガイド枠
５０、５１…マスト
【図１】
2005006901.tif 000003
【図２】
2005006901.tif 000004
【図３】
2005006901.tif 000005
【図４】
2005006901.tif 000006
【図５】
2005006901.tif 000007
【図６】
2005006901.tif 000008
【図７】
2005006901.tif 000009